(57)【要約】【課題】返信用の封書作成用紙片に記入した個人情報が、外部から認識できない状態で表示できる３つ折り封書用帳票を提供する。【解決手段】横方向に長い矩形状を有する第１のシート状基材と、前記第１のシート状基材と同一寸法を有し、該第１のシート状基材上に重ねられ接着されている第２のシート状基材と、を有する封書用シートであって、前記第１のシート状基材の第１の接着用紙部の上端辺と下端辺に沿って横方向に形成された２本の切り取り用ミシンの外側の領域と、更に前記第１の接着用紙部の左側端辺に沿った近傍の領域に粘着剤層が設けられた領域とを有し、第２のシート状基材の裏面には、前記第１のシート状基材の前記粘着剤層が設けられた領域と重なる領域に剥離剤層が設けられ、第２のシート状基材には、前記第１のシート状基材の前記接着剤層が設けられた領域と前記粘着剤層領域の間となる位置に切り込みが形成されている。【選択図】        図１
2010046804.tif 000002
【特許請求の範囲】
【請求項１】
横方向に長い矩形状を有する第１のシート状基材と、前記第１のシート状基材と同一寸法を有し、該第１のシート状基材上に重ねられ接着されている第２のシート状基材と、を有する３つ折り封書用帳票であって、
前記第１のシート状基材は、該第１のシート状基材の短辺と平行に形成された２本の折り畳み用ミシンにより、左側から、第１の接着用紙部と、第１の中間用紙部と、第１の折り込み用紙部と、に区画され、
前記第２のシート状基材は、前記第１のシート状基材の２本の折り畳み用ミシンと重なる位置に形成された２本の折り畳み用ミシンにより、左側から、第２の接着用紙部と、第２の中間用紙部と、第２の折り込み用紙部と、に区画され、
前記第１の接着用紙部及び前記第２の接着用紙部と、前記第１の中間用紙部及び前記第２の中間用紙部とには、前記第１の接着用紙部と前記第１の中間用紙部との間に形成された折り畳み用ミシンに沿って、該折り畳み用ミシンから左右方向に対して等間隔で切り取り用ミシンが平行にそれぞれ形成され、
前記第１のシート状基材の上端辺付近と下端辺付近には、それぞれ上端辺と下端辺に沿って横方向の切り取り用ミシンが形成され、
前記第１の接着用紙部及び前記第２の接着用紙部と、前記第１の中間用紙部及び前記第２の中間用紙部とは、略同一の横幅寸法を有し、前記第１の折り込み用紙部及び前記第２の折り込み用紙部は、前記第１の折り込み用紙部及び前記第２の折り込み用紙部を前記第１の中間用紙部上に折り畳んだ際に、前記第１の中間用紙部に形成された前記縦方向の切り取り用ミシンよりも右側に位置する領域と重なる横幅寸法を有し、
前記第１のシート状基材の上面には、接着剤が塗布された接着剤層領域と、粘着剤が塗布された粘着剤層領域とを有し、
前記粘着剤層領域は、前記第１のシート状基材の第１の接着用紙部の上端辺と下端辺に沿って横方向に形成された２本の切り取り用ミシンの外側の領域と、更に前記第１の接着用紙部の左側端辺に沿った近傍の領域に設けられ、
また、接着剤層領域は、前記粘着剤層領域以外の領域に設けられ、
第２のシート状基材の裏面には、前記第１のシート状基材の前記粘着剤層領域と重なる領域に剥離剤層が設けられ、
更に、第２のシート状基材には、前記第１のシート状基材の前記接着剤層領域と前記粘着剤層領域の間となる位置に切り込みが形成され、前記切り込みにより前記第２のシート状基材の剥離剤層が設けられている部分だけを前記粘着剤層から剥離可能に構成されていることを特徴とする３つ折り封書用帳票。
【発明の詳細な説明】
【技術分野】
【０００１】
本発明は、横方向に３つ折りさせて封筒を作成するための帳票であって、内部に表示された情報を、第三者が外部から透かして盗み見ることができないようにした３つ折り封書用帳票に関する。
【背景技術】
【０００２】
従来、住所変更届、講座振替申し込み、アンケート等を郵送にて行なう場合には、封筒に返信用の葉書や、返信用の封筒を書類とともに同封して顧客に送付し、それらを受け取った顧客が、返信用の葉書に必要事項を記入、または同封した封書に必要事項を記入した書類を入れて返送するなどしている。
しかしながら、封筒に返信用の葉書を同封して返送してもらう場合には、返信葉書に記入された内容が第三者に簡単に見られてしまうので、個人情報の漏洩の危険性があると共に、葉書であることから記入スペースに限りがあり返信情報量が少なく、多くの情報を表示する必要がある場合には使用できないという問題がある。
また、封筒を予め同封させて顧客に郵送する場合には、封筒を用意するコストや手間がかかるという問題がある。
【０００３】
また、例えば、入会申込書などの申込書を封書化させて郵送する場合には、図８に示すように、申込者側が不要部分の切り取りを行い、所定部分に糊付けを行なった後に巻き折りすることで、返信用の封書を作成することができるように構成された巻き折り加工用紙２０などが知られている。
このような返信用の封書作成用紙を有する巻き折り用紙については、既に種々の仕様のものが知られている。（例えば、特許文献１〜４参照）
【０００４】
【特許文献１】特開２００２−５４３２３号公報
【特許文献２】特開２００３−２００６８０号公報
【特許文献３】特開２００３−４３２７１５号公報
【特許文献４】特開２００６−４４０８０号公報
【０００５】
しかしながら、従来の返信用の封書作成用紙を有する用紙は、返信用の封書を作成する際に、糊代部分に顧客が自分で糊付けを行なわなければならないので不便であるという問題がある。
また、顧客が、返信用の封書作成用紙片に個人情報を直接記入した場合には、筆圧により用紙に凹凸が形成されたり、筆跡が封書の外側から透かして見えたりして、記入事項が認識しやすく、個人情報が漏洩する危険性が高いという問題がある。
【発明の開示】
【発明が解決しようとする課題】
【０００６】
そこで、本発明は、封書を作成する際に、顧客が糊代部分に糊付けを行なう手間をなくし、また、顧客が返信用の封書用紙片に記入した個人情報を、第三者が外部から認識できない状態で表示できるようにして、個人情報の漏洩防止を図り、更に、葉書を使用した場合よりも多くの情報表示スペースを確保することができる３つ折り封書用帳票を提供する。
【課題を解決するための手段】
【０００７】
本発明の３つ折り封書用帳票は、横方向に長い矩形状を有する第１のシート状基材と、前記第１のシート状基材と同一寸法を有し、該第１のシート状基材上に重ねられ接着されている第２のシート状基材と、を有する封書用シートであって、前記第１のシート状基材は、該第１のシート状基材の短辺と平行に形成された２本の折り畳み用ミシンにより、左側から、第１の接着用紙部と、第１の中間用紙部と、第１の折り込み用紙部と、に区画され、前記第２のシート状基材は、前記第１のシート状基材の２本の折り畳み用ミシンと重なる位置に形成された２本の折り畳み用ミシンにより、左側から、第２の接着用紙部と、第２の中間用紙部と、第２の折り込み用紙部と、に区画され、前記第１の接着用紙部及び前記第２の接着用紙部と、前記第１の中間用紙部及び前記第２の中間用紙部とには、前記第１の接着用紙部と前記第１の中間用紙部との間に形成された折り畳み用ミシンに沿って、該折り畳み用ミシンから左右方向に対して等間隔で切り取り用ミシンが平行にそれぞれ形成され、前記第１のシート状基材の上端辺付近と下端辺付近には、それぞれ上端辺と下端辺に沿って横方向の切り取り用ミシンが形成され、前記第１の接着用紙部及び前記第２の接着用紙部と、前記第１の中間用紙部及び前記第２の中間用紙部とは、略同一の横幅寸法を有し、前記第１の折り込み用紙部及び前記第２の折り込み用紙部は、前記第１の折り込み用紙部及び前記第２の折り込み用紙部を前記第１の中間用紙部上に折り畳んだ際に、前記第１の中間用紙部に形成された前記縦方向の切り取り用ミシンよりも右側に位置する領域と重なる横幅寸法を有し、前記第１のシート状基材の上面には、接着剤が塗布された接着剤層領域と、粘着剤が塗布された粘着剤層領域とを有し、前記粘着剤層領域は、前記第１のシート状基材の第１の接着用紙部の上端辺と下端辺に沿って横方向に形成された２本の切り取り用ミシンの外側の領域と、更に前記第１の接着用紙部の左側端辺に沿った近傍の領域に設けられ、また、接着剤層領域は、前記粘着剤層領域以外の領域に設けられ、第２のシート状基材の裏面には、前記第１のシート状基材の前記粘着剤層領域と重なる領域に剥離剤層が設けられ、更に、第２のシート状基材には、前記第１のシート状基材の前記接着剤層領域と前記粘着剤層領域の間となる位置に切り込みが形成され、前記切り込みにより前記第２のシート状基材の剥離剤層が設けられている部分だけを前記粘着剤層から剥離可能に構成されていることを特徴とする。
【発明の効果】
【０００８】
したがって、本発明の３つ折り封書用帳票は、予め塗布された粘着剤を用いて、３つ折り封書を作成できるので、返信用の封書を作成する際に、糊代部分に顧客が自分で糊付けを行なう必要がなく封書の作成を行なうことができ、また、第１のシート状基材と第２のシート状基材とが重ね合わされた構成を有していることから、顧客が返信用の封書作成用紙片に記入した個人情報を、外部から認識できない状態で送ることができ、更に、葉書を使用した場合よりも多くの情報表示スペースを確保することができるという効果がある。
【発明を実施するための最良の形態】
【０００９】
以下、本発明の実施形態に係る３つ折り封書用帳票を図面に基づいて詳細に説明する。
図１は、本発明の実施形態に係る３つ折り封書用帳票を表面側から見た場合の平面図であり、図２は、図１のＡ−Ａ線断面図であり、図3は、本発明の実施形態に係る３つ折り封書用帳票を表面側から見た場合であって、第１のシート状基材と第２のシート状基材とを分離させた状態を示す平面図である。
【００１０】
実施形態に係る３つ折り封書用帳票１は、図１乃至図３に示すように、横方向に長い矩形状を有する第１のシート状基材２と、前記第１のシート状基材２と同一寸法を有し、該第１のシート状基材２上に重ねられ接着されている第２のシート状基材３と、を有している。
第１のシート状基材２には、該第１のシート状基材２の短辺と平行に２本の折り畳み用ミシン４ａ，４ｂが形成され、また第２のシート状基材３にも、前記第１のシート状基材２の２本の折り畳み用ミシン４ａ，４ｂと重なる位置に２本の折り畳み用ミシン５ａ，５ｂが形成されている。
【００１１】
そして、３つ折り封書用帳票１から封筒を作成する場合には、第１のシート状基材２と第２のシート状基材３とが重ねられた状態で、各々の折り畳み用ミシン４ａ，４ｂ，５ａ，５ｂから横方向に観音折りさせた後に接着させて封筒を作成する。
尚、図１の平面図では、第２のシート状基材３が、第１のシート状基材２上に貼付されていることから、第２のシート状基材３の表面側だけが示されている。
【００１２】
図３には、３つ折り封書用帳票１の構成をわかりやすくするために、第１のシート状基材２から第２のシート状基材３を剥離して分離させた状態を示す平面図が示されている。
図３に示すように、第１のシート状基材２の上下端縁付近には、各々上下端辺から所定間隔をあけて横方向に切り取りミシン６ａ，６ｂが形成されている。
また、図２の断面図に示すように、第１のシート状基材２は、封書作成時に３つ折りする際に区分けされる紙片として、左側から順番に、第１の接着用紙部２ａと、第１の中間用紙部２ｂと、第１の折り込み用紙部２ｃ、の各紙片部を有し、また同様に、第１のシート状基材２上に重ねられた第２のシート状基材３にも、封書作成時に３つ折りする際に区分けされる紙片として、左側から順番に、第２の接着用紙部３ａと、第２の中間用紙部３ｂと、第２の折り込み用紙部３、の各紙片部をしている。
【００１３】
そして、第１のシート状基材２には、第１の接着用紙部２ａと第１の中間用紙部２ｂとの間に形成された折り畳み用ミシン４ａに沿って、該折り畳み用ミシン４ａから左右方向に対して等間隔で、切り取り用ミシン７ａ，７ｂが平行に形成され、また第１のシート状基材３には、第２の接着用紙部３ａと第２の中間用紙部３ｂとの間に形成された折り畳み用ミシン５ａに沿って、該折り畳み用ミシン５ａから左右方向に対して等間隔で、切り取り用ミシン８ａ，８ｂが平行に形成されている。
【００１４】
第１のシート状基材２と第２のシート状基材３とが重ね合わされて接着された状態において、第１の接着用紙部２ａ及び前記第２の接着用紙部３ａと、第１の中間用紙部２ｂ及び第２の中間用紙部３ｂとは、略同一の横幅寸法を有している。
また、第１の折り込み用紙部２ｃ及び第２の折り込み用紙部３ｃは、それらの第１の折り込み用紙部２ｃ及び第２の折り込み用紙部３ｃを、第１の中間用紙部２ｂの上面に折り畳んで重ね合わせた際に、第２の中間用紙部３ｂに形成された縦方向の切り取り用ミシン５ａよりも右側となる位置の領域と重なる状態になる横幅寸法を有している。
【００１５】
つまり、図３に示す第１のシート状基材２に基づいて寸法を説明すると、第１の接着用紙部２ａの横幅寸法Ｌ１と、第１の中間用紙部２ｂの横幅寸法Ｌ２と、は略同一寸法で形成され、また、第１の折り込み用紙部２ｃの横幅寸法Ｌ３は、横幅寸法Ｌ１又は横幅寸法Ｌ２よりも狭い幅で形成され、更に第１の折り込み用紙部２ｃを折り畳み用ミシン４ｂから折り畳んだ際に、第１の折り込み用紙部２ｃの重ねられる部分が、切り取り用ミシン７ｂよりも右側に位置するように横幅寸法が設定されている。
これにより、３つ折り封書用帳票１を３つ折りさせて封書を作成した場合、封書の開封時に切り取り用ミシン７ａ，７ｂ，８ａ，８ｂから切り取った際に、第１の折り込み用紙部２ｃ及び第２の折り込み用紙部３ｃが切り取られない状態にして封書を作成できるようにしてある。
【００１６】
また、第１のシート状基材２の上面には、接着剤９が塗布された接着剤層領域と、粘着剤１０が塗布された粘着剤層領域とを有している。
この粘着剤層領域は、第１のシート状基材２の第１の接着用紙部２ａの上端辺と下端辺に沿って横方向に形成された２本の切り取り用ミシン６ａ，６ｂの外側の領域と、更に第１の接着用紙部２ａの左側端辺に沿った近傍の領域に設けられている。
【００１７】
また、接着剤９が塗布された接着剤層領域は、前記粘着剤１０が塗布された粘着剤層領域以外の領域に設けられている。
また、第２のシート状基材３の裏面において、第１のシート状基材２の粘着剤１０が塗布された粘着剤層領域と重なる領域に、剥離剤１１が塗布された剥離剤層領域が設けられている。
更に、第２のシート状基材３には、第１のシート状基材２の接着剤９が塗布された接着剤層領域と、粘着剤１０が塗布された粘着剤層領域の間となる位置に、切り込み１２が形成されている。
この切り込み１２により、第２のシート状基材３の剥離剤１１が塗布された剥離剤層領域の部分だけを、剥離して分離可能に構成されている。
【００１８】
また、第２のシート状基材３の第２の中間用紙部３ｂ及び第２の折り込み用紙部３ｃには、第１のシート状基材２に形成された２本の切り取り用ミシン６ａ，６ｂと重なる位置に、２本の切り取り用ミシン１３ａ，１３ｂが形成されている。
また、図３に示すように、第２のシート状基材３において、第２の接着用紙部３ａと、第２の中間用紙部３ｂと、第２の折り込み用紙部３ｃ、のいずれの紙片部の表面に、個人情報記入部１４を設けることができる。
これらの個人情報記入部１４は、３つ折り封書用帳票１の使用者が必要に応じて自由に選択することができる。
また、図３において、第１のシート状基材２の第１の中間用紙部２ｂの裏面には、封書用紙付き帳票１で作成した封書の送り先情報が印刷などで予め表示されている。
【００１９】
次に、３つ折り封書用帳票１の使用方法を、図４乃至図６に基づいて説明する。
３つ折り封書用帳票１の使用者は、第１のシート状基材２の各紙片上に所望の伝達情報や個人情報を記入、またはプリンタなどで印字するなどして表示すると共に、第２のシート状基材３の第１の中間用紙部２ｂの裏面の宛先記載部１５に宛先情報を表示させる。
【００２０】
そして、図４に示すように、第２のシート状基材３の第２の接着用紙部３ａから、切り込み線１２で区画された外側の部分３ａ−１を剥離させる。
第１のシート状基材２の第１の接着用紙部２ａの粘着剤層領域の粘着剤１０が表出して、粘着剤１０による貼り付けが可能な状態となる。
また、同様に第２のシート状基材３の第２の折り込み用紙部３ｃから、切り取り用ミシン６ａ，６ｂ，１３ａ，１３ｂと、折り畳み用ミシン４ｂ，５ｂとで区画された外側の部分３ｃ−１を剥離させる。
【００２１】
次に、図４に示すように、３つ折り封書用帳票１を、まず折り畳み用ミシン５ｂに基づいて、第２の折り込み用紙部３ｃを第２の中間用紙部３ｂの上面側に折り畳む。
次に、３つ折り封書用帳票１を、折り畳み用ミシン５ａに基づいて、第２の接着用紙部３ａの３ａ−１部分を剥離させた残りの部分を第１の折り込み用紙部２ｃの上面側に折り畳んで、粘着剤１０により外周部分を接着させる。
これにより、図５に示す状態の３つ折り封書１６が作成される。
その後、この３つ折り封書を郵便ポストに投函するなどして郵送する。
【００２２】
次に、３つ折り封書１６の受取人が開封する際には、図６に示すように、３つ折り封書１６の三方に形成されている切り取り用ミシン６ａ，６ｂ，８ａ，８ｂ，１３ａ，１３ｂから切り取ることで、観音折りされた３つ折り封書を簡単に開封することができる。
【００２３】
上記のように、本発明の３つ折り封書用帳票は、封書を作成する際に、予め第１のシート状基材２に塗布されている粘着剤を使用することで、封書の作成を行なえるように構成され、また、個人情報が記入される部分が封書の内側の基材に位置する構成を有しているので、顧客が返信用の封書作成用紙片に記入した内容が、外部から認識できない状態で表示でき、更に、葉書を使用した場合よりも多くの情報表示スペースを確保することができるようにものである。
【図面の簡単な説明】
【００２４】
【図１】本発明の実施形態に係る３つ折り封書用帳票を表面側から見た場合の平面図である。
【図２】図１のＡ−Ａ線断面図である。
【図３】本発明の実施形態に係る３つ折り封書用帳票を表面側から見た場合であって、第１のシート状基材と第２のシート状基材とを分離させた状態を示す平面図である。
【図４】本発明の実施形態に係る３つ折り封書用帳票の使用方法を説明する図である。
【図５】本発明の実施形態に係る３つ折り封書用帳票を用いて作成した封書の斜視図である。
【図６】本発明の実施形態に係る３つ折り封書用帳票を用いて作成した封書を開封した状態を示す斜視図である。
【図７】従来の入会申込書などの申込書を封書化させて郵送する場合に用いる封書用帳票の平面図である。
【符号の説明】
【００２５】
１  ３つ折り封書用帳票
２  第１のシート状基材
２ａ  第１の接着用紙部
２ｂ  第１の中間用紙部
２ｃ  第１の折り込み用紙部
３  第２のシート状基材
３ａ  第２の接着用紙部
３ｂ  第２の中間用紙部
３ｃ  第２の折り込み用紙部
４ａ，４ｂ，５ａ，５ｂ  折り畳み用ミシン
６ａ，６ｂ，７ａ，７ｂ，８ａ，８ｂ，１３ａ，１３ｂ  切り取り用ミシン
９  接着剤
１０  粘着剤
１２  切り込み
１４  個人情報記入部
１５  宛先記載部
１６  ３つ折り封書
２０  巻き折り加工用紙
【図１】
2010046804.tif 000003
【図２】
2010046804.tif 000004
【図３】
2010046804.tif 000005
【図４】
2010046804.tif 000006
【図５】
2010046804.tif 000007
【図６】
2010046804.tif 000008
【図７】
2010046804.tif 000009